(57)【特許請求の範囲】
【請求項１】
止水弁または止水弁と減圧弁とを有する第１部分と、水道メータ支持部材と逆止弁とを有する第２部分と、可撓性の管部材とを備え、管部材の一端は第１部分に他端は第二部分に、係脱可能な雌カプラーと雄カプラーとを有するワンタッチ水密継手又は袋ナット型水密継手を介して接続されていることを特徴とする水道メータ設置ユニットの第１部分を集合住宅の給水立管に接続し、第１部分の止水弁を閉じ、給水立管の内部空間を加圧することを特徴とする集合住宅の給水立管の耐圧試験方法。
【請求項２】
管部材と第１部分との接続部及び／又は第２部分との接続部がスライド継手を有することを特徴とする請求項１に記載の集合住宅の給水立管の耐圧試験方法。
【請求項３】
管部材と第１部分との接続部及び／又は第２部分との接続部が首振回転可能なベンドを有することを特徴とする請求項１又は２に記載の集合住宅の給水立管の耐圧試験方法。
【請求項４】
管部材と第１部分との接続部及び／又は第２部分との接続部が首振回転可能なエルボを有することを特徴とする請求項１乃至３の何れか１項に記載の集合住宅の給水立管の耐圧試験方法。
【請求項５】
一端が下方へ差し向けられた一つのエルボを介して第１部分が集合住宅パイプシャフト内の給水立管に接続されることを特徴とする請求項１乃至４の何れか１項に記載の集合住宅の給水立管の耐圧試験方法。
【発明の詳細な説明】
【技術分野】
【０００１】
本発明は、集合住宅の給水立管の耐圧試験方法に関するものである。
【背景技術】
【０００２】
止水弁または止水弁と減圧弁とを有する第１部分と、水道メータ支持部材と逆止弁とを有する第２部分と、第１部分と第２部分とを接続するエルボとを備え、第１部分と第２部分とエルボとが一体に接続された水道メータ設置ユニットが特許文献１に開示されている。
【先行技術文献】
【特許文献】
【０００３】
【特許文献１】特開２００７−３２２３８７
【発明の概要】
【発明が解決しようとする課題】
【０００４】
多層集合住宅においては、パイプシャフト内に配設された給水立管から水道メータを介して住宅内配管に給水される。給水立管には水道メータへの流出口である短い分岐管が水平に接続されている。
給水立管に対して耐圧試験が行われる。耐圧試験時には分岐管を塞ぐ必要がある。従来、水道メータ設置ユニットを設置し、水道メータ設置ユニットの第１部分と給水立管の分岐管とを配管で接続した後に、水道メータ設置ユニットの止水弁を閉じて、給水立管の耐圧試験を行っていた。
このため、給水立管から給水される全ての階に水道メータ設置ユニットを設置し、水道メータ設置ユニットの第１部分と給水立管の分岐管とを配管で接続した後でなければ、給水立管の耐圧試験が行えず、水道工事の工期長期化を招くという問題があった。
また、給水立管の分岐管に接続した配管の下流側端部と、水道メータ設置ユニットの第１部分の上流側端部との軸芯合わせのために、給水立管の分岐管と、当該分岐管に接続する配管との間に水平面内で屈曲する２個のエルボと、垂直面内で屈曲する１個のエルボの合計３個のエルボを配設する必要性を生ずる場合があり、水道工事費用の上昇を招いていた。
更に、水道メータ設置ユニットの第１部分と給水立管の分岐管とを配管で接続する際、従来、現場で配管を切断し加工していたので、施工品質にバラツキを生じ、漏水等の不具合が発生する場合があった。
本発明は上記問題に鑑みてなされたものであり、上記諸問題を解決できる集合住宅の給水立管の耐圧試験方法を提供することを目的とする。
【課題を解決するための手段】
【０００５】
上記課題を解決するために、本発明においては、止水弁または止水弁と減圧弁とを有する第１部分と、水道メータ支持部材と逆止弁とを有する第２部分と、可撓性の管部材とを備え、管部材の一端は第１部分に他端は第二部分に、係脱可能な雌カプラーと雄カプラーとを有するワンタッチ水密継手又は袋ナット型水密継手を介して接続されていることを特徴とする水道メータ設置ユニットの第１部分を集合住宅の給水立管に接続し、第１部分の止水弁を閉じ、給水立管の内部空間を加圧することを特徴とする集合住宅の給水立管の耐圧試験方法を提供する。
本発明に係る給水立管の耐圧試験方法においては、集合住宅の全ての階での水道メータの設置が完了する前に、給水立管の耐圧試験を行うことができる。これにより、集合住宅建設時の水道工事の工期長期化を回避できる。
水道メータ設置ユニットを、第１部分と第２部分と両者の連結部である管部材とに分離し、全ての階で第１部分を給水立管の分岐管に接続し、第１部分の止水弁を閉じれば、全ての階で水道メータ設置ユニットの設置が完了する前に、給水立管の耐圧試験を行うことができる。これにより、水道工事の工期長期化を回避できる。
第１部分を給水立管の分岐管に接続し、第２部分を給水立管近傍の床面に設置した後、管部材で両者を接続するが、管部材は可撓性なので、管部材の長さにゆとりを持たせておけば、管部材を給水立管の分岐管と第２部分の上流端との位置関係に合わせて適宜屈曲させて、管部材の下流端の軸芯を第２部分の上流端の軸芯に合わせることができ、両者を接続することができる。この結果、給水立管の分岐管と、当該分岐管に接続する管部材との間に配設するエルボを垂直面内で屈曲するエルボのみとすることが可能となり、水道工事費用の上昇を回避できる。
管部材は第１部分と第２部分とにワンタッチ水密継手又は袋ナット型水密継手を介して接続されているので、管部材を第１部分及び第２部分から分離して、再度第１部分と第２部分とに接続する際に、管部材の切断、加工を要さない。この結果、施工品質のバラツキを回避でき、漏水等の不具合の発生を回避できる。
【０００６】
本発明の好ましい態様においては、管部材と第１部分との接続部及び／又は第２部分との接続部がスライド継手を有する。
本発明の好ましい態様においては、管部材と第１部分との接続部及び／又は第２部分との接続部が首振回転可能なベンドを有する。
本発明の好ましい態様においては、管部材と第１部分との接続部及び／又は第２部分との接続部が首振回転可能なエルボを有する。
接続部にスライド継手を設け、或いは首振回転可能なベンドやエルボを設けることにより、給水立管の分岐管と水道メータ設置ユニットの第２部分の設置位置との間の相対位置のバラツキに確実に対応することが可能になる。
本発明の好ましい態様においては、一端が下方へ差し向けられた一つのエルボを介して第１部分が集合住宅パイプシャフト内の給水立管に接続される。
可撓性の管部材の長さにゆとりを持たせておけば、第１部分給水立管の分岐管と水道メータ設置ユニットの第２部分の設置位置との間の相対位置に多少のバラツキがあっても、管部材を適宜に屈曲させて、管部材の下流側端部の軸芯を第２部分の上流側端部の軸芯に合わせることができ、両者を接続することができる。従って、給水立管の分岐管と、当該分岐管に接続する管部材との間に配設するエルボを垂直面内で屈曲するエルボのみとすることができる。
【図面の簡単な説明】
【０００７】
【図１】本発明の実施例に係る集合住宅の給水立管の耐圧試験方法で用いる水道メータ設置ユニットの構造図である。
【図２】本発明の実施例に係る集合住宅の給水立管の耐圧試験方法で用いる水道メータ設置ユニットの部分構造図である。
【図３】本発明の実施例に係る集合住宅の給水立管の耐圧試験方法で用いる水道メータ設置ユニットの部分構造図である。
【発明を実施するための形態】
【０００８】
本発明の実施例に係る集合住宅の給水立管の耐圧試験方法を説明する。
図１に示すように、水道メータ設置ユニットＡは、止水弁１ａと減圧弁１ｂとを有する第１部分１と、水道メータ支持部材２ａと逆止弁２ｂとを有する第２部分２と、管部材３とを備えている。
第１部分１の止水弁１ａは、水道メータ稼働時の水流に関して、減圧弁１ｂよりも上流に配設されている。第１部分１は、前記水流に関して上流端と下流端とに、ワンタッチ水密継手の一部を構成する雌カプラー１ｃと雌カプラー１ｄとを備えている。
第２部分２は、水道メータ稼働時の水流に関して上流端にエルボ２ｃとベンド２ｄとを備え、前記水流に関して下流端に、図示しない屋内配管との接続部２ｅを備えている。エルボ２ｃの下流端は、第２部分２が集合住宅パイプシャフトＢの水平な床面Ｅに設置された状態で、水平軸線回りに首振回転可能に水道メータ支持部材２ａに接続されており、ベンド２ｄの下流端は、エルボ２ｃの上流端の中心軸線回りに回転可能にエルボ２ｃの上流端に接続されている。ベンド２ｄは、ワンタッチ水密継手の一部を形成する雌カプラー２ｆを、上流端に備えている。
管部材３は、樹脂製の内外層とアルミニウム製の中間層とを有する三層構造の可撓性のアルミ三層管である。管部材３は、水道メータ稼働時の水流に関して、上流端と下流端とに、ワンタッチ水密継手の一部を構成する雄カプラー３ａと雄カプラー３ｂとを備えている。
【０００９】
水道メータ設置ユニットＡの設置手順を説明する。
多層構造集合住宅のパイプシャフトＢ内に、垂直に延在する給水立管Ｃが配設されている。給水立管Ｃの各階内で延在する部位に、短管Ｃ１が介挿され、水平に延びる短い分岐管Ｃ２の一端が短管Ｃ１に接続されている。分岐管Ｃ２は、ワンタッチ水密継手の一部を形成する雌カプラーＣ３を他端に備えている。
水道メータ設置ユニットＡは、第１部分１と第２部分２と管部材３とに分離された状態で、多層構造集合住宅の工事現場に持ち込まれる。
多層構造集合住宅の全階において、ワンタッチ水密継手の一部を形成する雄カプラーＤ１を両端に有するエルボＤの一端を、分岐管Ｃ２の雌カプラーＣ３にワンタッチ接続し、エルボＤの他端を鉛直下方へ差し向ける。水道メータ設置ユニットＡの第１部分１の雌カプラー１ＣをエルボＤの他端の雄カプラーＤ１にワンタッチ接続する。
多層構造集合住宅全階の第１部分１の止水弁１ａを閉じた後、給水立管Ｃの耐圧試験を行う。
給水立管Ｃが漏水していないことを確認した後、多層構造集合住宅の全階において、水道メータ設置ユニットＡの第２部分２を、給水立管近傍のパイプシャフトＢ内水平床面Ｅに設置する。エルボ２ｃを適宜首振回転させ、及び／又はベンド２ｄを適宜首振回転させて、第２部分２のベンド２ｄの雌カプラー２ｆを、第１部分の雌カプラー１ｄへ差し向ける。
管部材３を適宜に折り曲げて塑性変形させた後、雄カプラー３ａを第１部分１の雌カプラー１ｄにワンタッチ接続し、次いで、管部材３を弾性変形させつつ、管部材３の雄カプラー３ｂの軸芯を第２部分２のベンド２ｄの雌カプラー２ｆの軸芯に一致させ、管部材３の弾性変形を解除しつつ雄カプラー３ｂを雌カプラー２ｆにワンタッチ接続する。
【００１０】
上記説明から分かるように、水道メータ設置ユニットＡを、第１部分１と第２部分２と両者の連結部である管部材３とに分離し、多層集合住宅の全階において第１部分１を給水立管Ｃの分岐管Ｃ２に接続し、第１部分１の止水弁１ａを閉じれば、全階への水道メータ設置ユニットＡの設置が完了する前に、給水立管Ｃの耐圧試験を行うことができる。これにより、水道工事の工期長期化を回避できる。
第１部分１を給水立管Ｃの分岐管Ｃ２に接続し、第２部分２を給水立管近傍のパイプシャフト内床面Ｅに設置した後、管部材３で両者を接続するが、管部材３は可撓性なので、管部材３の長さにゆとりを持たせておけば、管部材３を給水立管Ｃの分岐管Ｃ２と第２部分２の上流側接続口であるベンド２ｄとの相対位置関係に合わせて適宜屈曲させ、管部材３の下流端の軸芯を第２部分２の上流端の軸芯に合わせて、両者を接続することができる。この結果、給水立管の分岐管と、当該分岐管に接続する管部材との間に配設するエルボを垂直面内で屈曲するエルボＤのみとすることが可能となり、水道工事費用の上昇を回避できる。
管部材３は第１部分１と第２部分２とにワンタッチ水密継手を介して接続されているので、管部材３を第１部分１及び第２部分２から分離して、再度第１部分１と第２部分２とに接続する際に、管部材３の切断、加工を要さない。この結果、施工品質のバラツキを回避でき、漏水等の不具合の発生を回避できる。
各階毎に、給水立管Ｃの分岐管Ｃ２と水道メータ設置ユニットＡの第２部分２の設置位置との間の相対位置関係に多少のバラツキがあっても、エルボ２ｃを適宜首振回転させ、及び／又はベンド２ｄを適宜首振回転させることにより、第１部分１と第２部２とを管部材３で確実に接続することができる。
上述の給水立管Ｃの耐圧試験方法においては、集合住宅の全階への水道メータ設置ユニットＡの設置が完了する前に、給水立管Ｃの耐圧試験を行うことができる。これにより、集合住宅建設時の水道工事の工期長期化を回避できる。
【００１１】
第１部分１から減圧弁１ｂを除去しても良い。
首振回転可能なベンド２ｄに代えて、図２に示すように、首振回転可能なエルボ２ｄ’を配設しても良い。第２部２と管部材３との接続部の位置の自由度が増す。
第２部分２からベンド２ｄを除去しても良い。この場合エルボ２ｃの上流端が雌カプラーを備える必要がある。エルボ２ｃを回転不能としても良い。この場合エルボ２ｃの上流端は上方へ差し向ける必要がある。
第１部分１の下流端に上下軸線回りに首振回転可能なベンドを配設し、或いは首振回転可能なエルボと首振回転可能なベンドとの組合せを配設し、或いは首振回転可能なエルボと首振回転可能なエルボとの組合せを配設しても良い。この場合、最下流のベンド又はエルボの下流端が雌カプラーを備える必要がある。
管部材３は、アルミ三層管に限定されない。可撓性を有するものであれば良い。従って樹脂管でも良い。尚、アルミ三層管には、塑性変形させて変形後の形状を維持させることができるという利点がある。
ワンタッチ水密継手の固定手段は、Ｕピン、ファスナー等、従来使用されている任意の手段を用いて良い。
ワンタッチ水密継手に代えて袋ナット型水密継手を使用しても良い。
図３（ａ）に示すように、雌カプラー２ｆを、長手方向に固定された内筒２ｆ１と、内筒２ｆ１に対して長手方向に相対移動する外筒２ｆ２と、外筒２ｆ２を内筒２ｆ１に固定するネジ２ｆ３とを有するスライド式のカプラーとし、管部材３と第２部分２との接続部をスライド継手としても良い。
管部材３と第２部分２との接続部を袋ナット型水密継手にした場合でも、図３（ｂ）に示すように、当該袋ナット型水密継手の雌カプラー２ｆ’を、長方向に固定された内筒２ｆ１’と、内筒２ｆ１’に対して長手方向に相対移動する外筒２ｆ２’と、外筒２ｆ２’を内筒２ｆ１’に固定するネジ２ｆ３’とを有するスライド式のカプラーとし、管部材３と第２部分２との接続部をスライド継手としても良い。
管部材３と第１部分１との接続部をスライド継手としても良い。
スライド継手は、長手方向に固定された外筒と、外筒に対して長手方向に相対移動する内筒と、内筒を外筒に固定するネジとを備えるものであっても良い。
給水立管Ｃの分岐管Ｃ２と水道メータ設置ユニットＡの第２部分２の設置位置との間の相対位置関係に多少のバラツキがあっても、スライド継手を使用することにより、第１部分１と第２部２とを管部材３で確実に接続することができる。
雌カプラーＣ３、１ｃ、１ｄ、２ｆを雄カプラーとし、雄カプラーＤ１、３ａ、３ｂを雌カプラーとしても良い。
【産業上の利用可能性】
【００１２】
本発明は、集合住宅の給水立管の耐圧試験方法に広く利用可能である。
【符号の説明】
【００１３】
Ａ  水道メータ設置ユニット
１  第１部分
１ａ  止水弁
１ｂ  減圧弁
１ｃ、１ｄ  雌カプラー
２  第２部分
２ａ  水道メータ支持部材
２ｂ  逆止弁
２ｃ  エルボ
２ｄ  ベンド
２ｄ’  エルボ
２ｅ  接続部
２ｆ、２ｆ’  雌カプラー
３  管部材
３ａ、３ｂ  雄カプラー
Ｂ  パイプシャフト
Ｃ  給水立管
Ｃ１  短管
Ｃ２  分岐管
Ｃ３  雌カプラー
Ｄ  エルボ
Ｄ１  雄カプラー
【図１】
0005777097.tif 000002
【図２】
0005777097.tif 000003
【図３】
0005777097.tif 000004